(57)【要約】【課題】小型かつ安価な構成によって、発光素子の発光輝度の温度変動を抑制可能な発光素子駆動装置を提供する。【解決手段】  本発明に係る発光素子駆動装置１０は、電流駆動回路１と、電流検出回路５と、制御回路３と、発振器４とを備え、制御回路３は、発振器４からのパルス信号と電流検出回路５からの出力信号に基づいて、電流不連続モードにて電流駆動回路１を制御し、発光素子２は、電流駆動回路の出力端子間に直結されている。さらに、好ましくは、発光素子駆動装置１０は、電流駆動回路１の出力電圧Ｖｏを検出する電圧検出回路６を備え、発振器４は、電圧検出回路６の出力に応じて発振周波数を変動させるものであり、これによって、電流駆動回路１の出力電圧Ｖｏの低下に伴って出力電流Ｉｏが増大し、温度上昇による発光輝度の低下を抑制するものである。【選択図】図１
2006351685.tif 000002
【特許請求の範囲】
【請求項１】
発光素子を点灯させるための発光素子駆動装置において、
インダクタ、コンデンサ、スイッチング素子、およびダイオードから構成される電流駆動回路と、前記スイッチング素子を流れる電流を検出する電流検出回路と、前記スイッチング素子のオン・オフ動作を制御する制御回路と、前記制御回路にパルス信号を供給する発振器と、を備え、
前記制御回路は、前記発振器からのパルス信号と前記電流検出回路からの出力信号に基づいて、前記発振器の周波数が一定の場合に前記電流駆動回路の出力電力がほぼ一定となるように、前記スイッチング素子のオン・オフ動作を制御し、
前記発光素子は、前記電流駆動回路の出力端子間に直結されていることを特徴とする発光素子駆動装置。
【請求項２】
前記電流駆動回路は、電流不連続モードで動作することを特徴とする請求項１に記載の発光素子駆動装置。
【請求項３】
前記電流駆動回路の出力電圧を検出する電圧検出回路をさらに備え、前記発振器は、前記電圧検出回路の出力に応じて発振周波数を変動させることを特徴とする請求項１または２に記載の発光素子駆動装置。
【請求項４】
前記発振器の、前記電流駆動回路の出力電圧の変化に対する周波数の変化量を可変としたことを特徴とする請求項３に記載の発光素子駆動装置。
【請求項５】
前記電流駆動回路の出力電圧を検出する電圧検出回路をさらに備え、前記制御回路は、前記電圧検出回路の出力に応じて基準電圧を変動させることを特徴とする請求項１または２に記載の発光素子駆動装置。
【請求項６】
前記制御回路の、前記電流駆動回路の出力電圧の変化に対する基準電圧の変化量を可変としたことを特徴とする請求項５に記載の発光素子駆動装置。
【請求項７】
前記電流検出回路は、低抵抗値を有する抵抗であることを特徴とする請求項１から６のいずれか１項に記載の発光素子駆動装置。
【発明の詳細な説明】
【技術分野】
【０００１】
本発明は、発光ダイオード等の発光素子を駆動する装置に関し、特に、温度変化による輝度の変化を抑制できる発光素子駆動装置に関する。
【背景技術】
【０００２】
発光ダイオード（ＬＥＤ）等の発光素子の発光輝度は、発光素子に通電する電流の大きさに依存する。このため、従来、発光素子を安定に点灯させるため、発光素子を定電流にて駆動する発光素子駆動装置が多用されている。図７に、従来の定電流方式の発光素子駆動装置１００を示す。図７（ａ）に示すように、発光素子駆動装置１００は、電流駆動回路１０１、制御回路１０３、および発振器１０４を備えており、電流駆動回路１０１の入力側には、直流電圧を供給する入力電源Ｖｉが接続され、出力側には、抵抗Ｒ２および抵抗Ｒ２に直列に接続された発光素子２が接続されている。電流駆動回路１０１は、スイッチング素子Ｑ１、インダクタＬ１、ダイオードＤ１、コンデンサＣ１からなり、制御回路１０３の出力信号に基づいてスイッチング素子Ｑ１をオン・オフ動作させ、直流電源Ｖｉから供給される直流電圧を昇圧して出力するものである。その際、制御回路１０３には、抵抗Ｒ２で検出された出力電流Ｉｏに対応する電圧信号が入力され、電流駆動回路１０１は、出力電流Ｉｏが所定の定電流になるように、制御回路１０３によってフィードバック制御される。また、制御回路１０３には、抵抗Ｒ１で検出されたスイッチング素子Ｑ１を流れる電流に対応する電圧信号も入力され、スイッチング素子Ｑ１に過大電流が流れて破損することを防止するものである。
【０００３】
例えば、制御回路１０３は、図７（ｂ）に示すように、フリップフロップ１１１、のこぎり波発生回路１１２、増幅器１１３、比較器１１４、誤差増幅器１１５、ドライバ１１６、加算器１１７を備え、パルス幅変調方式によりスイッチング素子Ｑ１を制御するものである。制御回路１０３の動作を簡単に説明すれば、次の通りである。発振器１０４からのパルス信号によりフリップフロップ１１１のＳ入力がＨｉｇｈレベルになると、Ｑ出力がセットされ、ドライバを介して出力される出力信号（例えば、ゲート電圧）により、スイッチング素子Ｑ１はオンになる。このとき、発振器１０４からのパルス信号は、のこぎり波発生回路１１２にも入力され、生成されたのこぎり波は増幅器１１３の出力と加算されて、比較器１１４の（＋）入力端子に入力される。比較器１１４の（−）入力端子には、誤差増幅器１１５の出力電圧が入力されており、加算器１１７からの出力電圧が立ち上がって誤差増幅器１１５の出力電圧を超えると、比較器１１４の出力電圧、すなわち、フリップフロップのＲ入力がＨｉｇｈレベルに切り替る。これによって、フリップフロップ１１１のＱ出力がリセットされて、スイッチング素子Ｑ１はオフになる。
【０００４】
以上のような動作において、誤差増幅器１１５の（＋）入力端子には所定の基準電圧Ｖｒｅｆが入力され、（−）入力端子には抵抗Ｒ２により検出された出力電流Ｉｏに応じた電圧が入力されている。したがって、加算器１１７からの出力電圧が立ち上がって誤差増幅器１１５の出力電圧を超えるタイミングは、誤差増幅器１１５からの出力電圧の増減に応じて変動し、例えば、出力電流Ｉｏが増大して誤差増幅器１１５からの出力電圧が低下すると、スイッチング素子Ｑ１のオン時間は短縮し、逆に、出力電流Ｉｏが減少して誤差増幅器１１５からの出力電圧が上昇すると、スイッチング素子Ｑ１のオン時間が延長する。このようにして、出力電流Ｉｏは、所望の定電流に維持される。また、増幅器１１３の（＋）入力端子には、抵抗Ｒ１により検出されたスイッチング素子Ｑ１を流れる電流に対応する電圧信号が入力されているため、スイッチング素子Ｑ１に過大な電流が流れると、加算器１１７の出力電圧が上昇する結果、のこぎり波の位相によらず、比較器１１４の出力がＨｉｇｈレベルになり、スイッチング素子Ｑ１はオフ状態となるため、スイッチング素子Ｑ１の破損が防止される。
【０００５】
ここで、発光素子２において、同一の電流を通電している状態における発光輝度は、温度が上昇するに従って低下するという温度依存性を有している。したがって、発光素子駆動装置１００により出力電流Ｉｏを一定に制御して発光素子２を点灯している場合、図８に示すように、温度の上昇に伴って発光輝度が低下してしまう。このような発光素子を、例えば液晶表示装置のバックライトの一次光源として用いた場合、温度の上昇に伴って液晶表示画面が暗くなってしまうという問題があった。
このような問題に対処するために、従来、発光素子の発光輝度をフォトダイオード等の光センサを用いて検出し、検出された発光輝度に基づいてフィードバック制御することにより、発光素子の発光輝度を一定に保つ発光素子駆動装置（例えば、特許文献１参照）、あるいは、発光素子の温度をサーミスタ等の温度センサを用いて検出し、検出された温度に基づいてフィードバック制御することにより、発光素子の発光輝度を一定に保つ発光素子駆動装置（例えば、特許文献２参照）が提案されている。
【０００６】
【特許文献１】特開平５−３２７４５０号公報
【特許文献２】特開２００２−３６９５０６号公報
【発明の開示】
【発明が解決しようとする課題】
【０００７】
しかしながら、特許文献１および特許文献２に記載されたような発光素子駆動装置は、温度センサまたは光センサ等の何らかのセンサを要するものであるため、発光素子駆動装置が大型かつ高価なものになると共に、発光素子の付近にセンサを配する必要があるため、装置の配線やレイアウトが複雑になるという問題がある。
【０００８】
本発明は、上記課題に鑑みてなされたものであり、小型かつ安価な構成によって、発光素子の発光輝度の温度変動を抑制可能な発光素子駆動装置を提供することを目的とする。
【課題を解決するための手段】
【０００９】
上記目的を達成するため、本発明は、発光素子を点灯させるための発光素子駆動装置において、インダクタ、コンデンサ、スイッチング素子、およびダイオードから構成される電流駆動回路と、前記スイッチング素子を流れる電流を検出する電流検出回路と、前記スイッチング素子のオン・オフ動作を制御する制御回路と、前記制御回路にパルス信号を供給する発振器と、を備え、前記制御回路は、前記発振器からのパルス信号と前記電流検出回路からの出力信号に基づいて、前記発振器の周波数が一定の場合に前記電流駆動回路の出力電力がほぼ一定となるように、前記スイッチング素子のオン・オフ動作を制御し、前記発光素子は、前記電流駆動回路の出力端子間に直結されていることを特徴とする。
【００１０】
本発明によれば、制御回路は、発振器からのパルス信号と電流検出回路からの出力信号に基づいて、発振器の周波数が一定の場合に電流駆動回路の出力電力がほぼ一定になるように、スイッチング素子のオン・オフ動作を制御し、発光素子は、電流駆動回路の出力端子間に直結されていることで、温度上昇による発光素子の順方向電圧の低下に伴って、電流駆動回路の出力電流が自動的に増大するため、発光輝度および温度等を検出するセンサを使用することなく、温度上昇による発光素子の発光輝度の低下を抑制することができる。また、このように発光素子が電流駆動回路の出力端子間に直結されているため、抵抗等による電力損失を有することなく、高効率な発光素子駆動装置を実現することができる。
【００１１】
好ましくは、前記電流駆動回路は、電流不連続モードで動作するものであり、これによって、良好な定電力特性を得ることができる。
【００１２】
本発明の一態様では、本発明に係る発光素子駆動装置は、前記電流駆動回路の出力電圧を検出する電圧検出回路をさらに備え、前記発振器は、前記電圧検出回路の出力に応じて発振周波数を変動させるものである。これによって、温度上昇による発光素子の順方向電圧の低下に伴って、発振器の周波数を増大させ、温度上昇による発光素子の発光輝度の低下を一層効果的に抑制することができる。
【００１３】
さらに、前記発振器において、前記電流駆動回路の出力電圧の変化に対する周波数の変化量は可変であることが好ましく、これによって、発光輝度の温度特性が異なる様々な発光素子に対応することが可能となる。
【００１４】
また、本発明の別の一態様では、本発明に係る発光素子駆動装置は、前記電流駆動回路の出力電圧を検出する電圧検出回路をさらに備え、前記制御回路は、前記電圧検出回路の出力に応じて基準電圧を変動させるものである。これによって、温度上昇による発光素子の順方向電圧の低下に伴って、基準電圧を増大させ、温度上昇による発光素子の発光輝度の低下を一層効果的に抑制することができる。
【００１５】
さらに、前記制御回路において、前記電流駆動回路の出力電圧の変化に対する基準電圧の変化量は可変であることが好ましく、これによって、発光輝度の温度特性が異なる様々な発光素子に対応することが可能となる。
【００１６】
また、本発明において、前記電流検出回路は、低抵抗値の抵抗としてもよい。これによって、容易かつ安価に電流検出回路を構成することができる。
【発明の効果】
【００１７】
本発明は、以上のように構成したため、発光輝度または温度等を検出するセンサを用いることなく、小型かつ安価な構成によって、発光素子の発光輝度の温度変動を抑制可能な発光素子駆動装置を提供することが可能となる。
【発明を実施するための最良の形態】
【００１８】
以下、本発明の実施の形態を、添付図面に基づいて説明する。図１は、本発明の一実施形態における発光素子駆動装置１０を示す回路構成図である。
図１において、発光素子駆動装置１０は、電流駆動回路１、制御回路３、発振器４、電流検出回路５、および電圧検出回路６を備えている。電流駆動回路１は、インダクタＬ１、コンデンサＣ１、例えばパワーＭＯＳＦＥＴ等からなるスイッチング素子Ｑ１、およびダイオードＤ１から構成されており、その入力端子間には入力電源Ｖｉが接続され、出力端子間には、好ましくは発光ダイオードからなる発光素子２が、抵抗等を介することなく直結されている。本実施形態において、電流駆動回路１は、制御回路３からの出力信号に基づいてスイッチング素子Ｑ１をオン・オフ動作させ、入力電源Ｖｉから供給される直流電圧を昇圧して出力する昇圧回路である。また、電流検出回路５は、低抵抗値を有する抵抗Ｒ１からなり、スイッチング素子Ｑ１を流れる電流を検出して、その値に応じた出力信号を制御回路３に出力するものであり、電圧検出回路６は、電流駆動回路１の出力電圧Ｖｏを検出して、その値に応じた出力信号を発振器４に出力するものである。
【００１９】
本実施形態において、発振器４は、電圧検出回路６からの出力信号に応じてその出力パルス信号の周波数を変動させるものであり、さらに、出力電圧Ｖｏの変動に対する周波数の変化量を可変として、所定の値に設定できるものとする。本発明は、このような発振器４の具体的構成によって限定されるものではないが、例えば、発振器４は、制御電圧に応じて発振周波数を決定する回路中に、可変抵抗または可変容量等の調整可能な回路定数を含む任意の適切な電圧制御発振器とすることができる。
【００２０】
制御回路３は、図１（ｂ）に示すように、フリップフロップ１１、比較器１２、ドライバ１３から構成されている。発振器４から出力されるパルス信号は、フリップフロップ１１のＳ入力に接続されている。比較器１２は、その（＋）入力端子に電流検出回路５からの出力信号が入力され、（−）入力端子には、所定の基準電圧Ｖｒｅｆが入力されて、その出力はフリップフロップ１１のＲ入力に接続されている。フリップフロップ１１のＱ出力は、ドライバ１３を介して（例えば、パワーＭＯＳＦＥＴのゲート電圧として）スイッチング素子Ｑ１に与えられ、スイッチング素子Ｑ１のオン・オフ動作を制御する出力信号となるものである。
【００２１】
次に、発振器４の周波数が固定されているものとして、本実施形態における発光素子駆動装置１０の基本的な動作について説明する。ここで、本実施形態における電流駆動回路１は、インダクタＬ１を流れる電流が１周期毎にゼロになる電流不連続モードで動作するように制御されている。
まず、発振器４から出力されるパルス信号により、フリップフロップ１１のＳ入力がＨｉｇｈレベルになると、フリップフロップ１１のＱ出力がセットされて、スイッチング素子Ｑ１はオンになる。これによって、インダクタＬ１、スイッチング素子Ｑ１、および抵抗Ｒ１からなる経路が形成され、インダクタＬ１には、ゼロから立ち上がって入力電圧Ｖｉに比例した傾きで増大する電流が流れる。その後、電流検出回路５の出力信号（すなわち、「スイッチング素子Ｑ１を流れる電流」×Ｒ１）が基準電圧Ｖｒｅｆに達すると、比較器１２の出力電圧、したがって、フリップフロップ１１のＲ入力がＨｉｇｈレベルに切り替り、フリップフロップ１１のＱ出力がリセットされて、スイッチング素子Ｑ１はオフになる。この時点で、インダクタＬ１に誘導起電圧が発生して入力電圧Ｖｉに重畳され、ダイオードＤ１を介してコンデンサＣ１が充電される。このとき、インダクタＬ１から流れ出る電流は、電流駆動回路１の出力電圧Ｖｏと入力電圧Ｖｉの差に比例した傾きで減少し、やがてゼロになる。その後、発振器４の周波数に応じた一定の時間の経過後、発振器４から次のパルス信号がフリップフロップ１１のＳ入力に印加され、以後、この動作が繰返される。
【００２２】
一般に、このような電流不連続モードでは、スイッチング素子Ｑ１のオン期間毎にインダクタＬ１に蓄積されたエネルギーは、発光素子２にすべて伝送され、また、そのエネルギーは、基準電圧ＶｒｅｆによりインダクタＬ１を流れる電流の尖頭値を一定に保持することで、すべての周期に亘って一定になるように制御されている。したがって、発振器４の周波数が一定の場合、本実施形態における電流駆動回路１は、入力電源Ｖｉから負荷である発光素子２に一定の電力を供給するものとなり、図２に示すように、出力電圧Ｖｏの低下に対して出力電流Ｉｏは増大することになる。ここで、図２は、様々な周波数に対して、電流駆動回路１の出力電圧−出力電流特性を示したグラフである。
【００２３】
ここで、発光素子２の温度が上昇すると、発光素子２の特性上、発光輝度が低下すると共に、その順方向電圧Ｖｆも低下する。一方、本実施形態において、発光素子２は、電流駆動回路１の出力端子間に直結されているため、電流駆動回路１の出力電圧Ｖｏは発光素子２の順方向電圧Ｖｆに等しい。したがって、温度上昇に伴って出力電圧Ｖｏは低下することになり、その結果、図３に示すように、出力電流Ｉｏは増大して発光輝度の低下を抑制することができる。ここで、図３は、発振器４の周波数固定の場合における、出力電流Ｉｏおよび発光素子２の発光輝度の温度特性の一例を示したグラフである。
【００２４】
さらに、このような発光輝度の温度特性は、発光素子の種類によって異なるものであるため、使用する発光素子によっては、周波数を固定した条件下での出力電流Ｉｏの増大によって発光輝度の低下を十分に抑制できない場合が生じる可能性がある。本実施形態における発光素子駆動装置１０では、発振器４に電圧検出回路６からの出力信号を入力し、発振器４の周波数をこの信号に応じて変動させると共に、周波数の変化量を、使用する発光素子の発光輝度の温度特性に応じて予め設定することによって、このような状況に対応するものである。すなわち、発光素子駆動装置１０において、電流駆動回路１は、スイッチング素子Ｑ１の動作周波数の増大に伴ってその出力電力が増大するものであるため、図２に示すように、発振器４の周波数の増大と共に、特定の出力電圧Ｖｏに対する出力電流Ｉｏは増大する。したがって、本実施形態における発振器４の周波数を、出力電圧Ｖｏが低下した場合に、使用する発光素子の温度特性に応じて増大するように設定することで、図４に示すように、発光素子２の温度が上昇して出力電圧Ｖｏが低下した際に、出力電流Ｉｏが増大して発光輝度の低下を補償し、発光輝度をほぼ一定に保持することができる。ここで、図４は、発振器４の周波数可変の場合における、出力電流Ｉｏと発光素子２の発光輝度の温度特性の一例を示したグラフである。
【００２５】
ここで、発光輝度の温度特性が発光素子の種類によって異なる場合の例として、図５に、青色発光素子、緑色発光素子、および赤色発光素子について、それぞれの発光輝度の温度特性を比較したグラフを示す。図５に示すように、温度上昇に対する発光輝度の低下の度合いは、青色発光素子で最も小さく、次いで、緑色発光素子、赤色発光素子の順に大きくなる。したがって、例えば、本実施形態における発光素子駆動装置１０を適用して、図５に示す青色発光素子を点灯させる場合には、その温度特性に応じて出力電圧Ｖｏの変動に対する発振器４の周波数の変化量を小さく設定し、赤色発光素子を点灯させる場合には、同様にその温度特性に応じて出力電圧Ｖｏの変動に対する発振器４の周波数の変化量を大きく設定するものである。
【００２６】
図６は、本発明の別の一実施形態における発光素子駆動装置２０を示す回路構成図である。
【００２７】
図６において、発光素子駆動装置２０は、電流駆動回路２１、制御回路２３、発振器２４、電流検出回路２５、および電圧検出回路２６を備えている。電流駆動回路２１は、インダクタＬ１、コンデンサＣ１、例えばパワーＭＯＳＦＥＴ等からなるスイッチング素子Ｑ１、およびダイオードＤ１から構成されており、その入力端子間には入力電源Ｖｉが接続され、出力端子間には、好ましくは発光ダイオードからなる発光素子２が、抵抗等を介することなく直結されている。本実施形態において、電流駆動回路２１は、制御回路２３からの出力信号に基づいてスイッチング素子Ｑ１をオン・オフ動作させ、入力電源Ｖｉから供給される直流電圧を昇圧して出力する昇圧回路である。また、電流検出回路２５は、低抵抗値を有する抵抗Ｒ１からなり、スイッチング素子Ｑ１を流れる電流を検出して、その値に応じた出力信号を制御回路２３に出力するものであり、電圧検出回路２６は、電流駆動回路２１の出力電圧Ｖｏを検出して、その値に応じた出力信号を制御回路２３に出力するものである。
【００２８】
本実施形態において、制御回路２３は、電圧検出回路２６からの出力信号に応じてその基準電圧Ｖｒｅｆを変動させるものであり、さらに、出力電圧Ｖｏの変動に対する基準電圧Ｖｒｅｆの変化量を可変として、所定の値に設定できるものとする。本発明は、このような基準電圧Ｖｒｅｆの具体的構成によって限定されるものではない。
【００２９】
本実施形態における発光素子駆動装置２０の基本的な動作は、図１に示した前記実施形態における発光素子駆動回路１０の基本的な動作と同様であるため説明を省略し、異なる点についてのみ説明する。
【００３０】
図１に示した発光素子駆動回路１０と同様に、基準電圧Ｖｒｅｆを固定とした場合、出力電流Ｉｏおよび発光素子２の発光輝度の温度特性の一例は図３のようになり、発光輝度の温度特性は、発光素子の種類によって異なるものであるため、使用する発光素子によっては、基準電圧Ｖｒｅｆを固定した条件下での出力電流Ｉｏの増大によって発光輝度の低下を十分に抑制できない場合が生じる可能性がある。本実施形態における発光素子駆動装置２０では、制御回路２３に電圧検出回路２６からの出力信号を入力し、制御回路２３の基準電圧Ｖｒｅｆをこの信号に応じて変動させると共に、基準電圧Ｖｒｅｆの変化量を、使用する発光素子の発光輝度の温度特性に応じて予め設定することによって、このような状況に対応するものである。すなわち、発光素子駆動装置２０において、電流駆動回路２１は、スイッチング素子Ｑ１の基準電圧Ｖｒｅｆの増大に伴ってその出力電力が増大するものであるため、制御回路２３の基準電圧Ｖｒｅｆの増大と共に、特定の出力電圧Ｖｏに対する出力電流Ｉｏは増大する。したがって、本実施形態における制御回路２３の基準電圧Ｖｒｅｆを、出力電圧Ｖｏが低下した場合に、使用する発光素子の温度特性に応じて増大するように設定することで、発光素子２の温度が上昇して出力電圧Ｖｏが低下した際に、出力電流Ｉｏが増大して発光輝度の低下を補償し、発光輝度をほぼ一定に保持することができる。
【００３１】
図５に示すように、温度上昇に対する発光輝度の低下の度合いは、青色発光素子で最も小さく、次いで、緑色発光素子、赤色発光素子の順に大きくなる。したがって、例えば、本実施形態における発光素子駆動装置２０を適用して、図５に示す青色発光素子を点灯させる場合には、その温度特性に応じて出力電圧Ｖｏの変動に対する制御回路２３の基準電圧Ｖｒｅｆの変化量を小さく設定し、赤色発光素子を点灯させる場合には、同様にその温度特性に応じて出力電圧Ｖｏの変動に対する制御回路２３の基準電圧Ｖｒｅｆの変化量を大きく設定するものである。
【００３２】
以上の説明を通じて、電流駆動回路１は、昇圧回路として説明してきたが、本発明に係る発光素子駆動装置において、電流駆動回路は、降圧回路または昇降圧回路であってもよい。また、電流検出回路５は、カレントトランスやサーミスタを使用するものであってもよい。
【図面の簡単な説明】
【００３３】
【図１】（ａ）は、本発明の一実施形態における発光素子駆動装置を示す回路構成図であり、（ｂ）は、（ａ）に示す発光素子駆動装置で使用される制御回路を示す回路構成図である。
【図２】図１に示す発光素子駆動装置で使用される電流駆動回路の、出力電圧−出力電流特性を示すグラフである。
【図３】図１に示す発光素子駆動装置において、周波数固定の場合における、出力電流および発光素子の発光輝度の温度特性の一例を示すグラフである。
【図４】図１に示す発光素子駆動装置において、周波数可変の場合における、出力電流および発光素子の発光輝度の温度特性の一例を示すグラフである。
【図５】発光素子の発光輝度−温度特性を、青色発光素子、緑色発光素子、および赤色発光素子を例として示すグラフである。
【図６】（ａ）は、本発明の別の一実施形態における発光素子駆動装置を示す回路構成図であり、（ｂ）は、（ａ）に示す発光素子駆動装置で使用される制御回路を示す回路構成図である。
【図７】（ａ）は、従来の発光素子駆動装置の一例を示す回路構成図であり、（ｂ）は、（ａ）に示す発光素子駆動装置で使用される制御回路を示す回路構成図である。
【図８】図７に示す発光装置駆動装置において、出力電流および発光素子の発光輝度の温度特性の一例を示すグラフである。
【符号の説明】
【００３４】
１，２１：電流駆動回路、２：発光素子、３，２３：制御回路、４，２４：発振器、５，２５：電流検出回路、６，２６：電圧検出回路、１０，２０：発光素子駆動装置、Ｃ１：コンデンサ、Ｄ１：ダイオード、Ｌ１：インダクタ、Ｑ１：スイッチング素子、Ｒ１：抵抗、Ｖｉ：入力電源
【図１】
2006351685.tif 000003
【図２】
2006351685.tif 000004
【図３】
2006351685.tif 000005
【図４】
2006351685.tif 000006
【図５】
2006351685.tif 000007
【図６】
2006351685.tif 000008
【図７】
2006351685.tif 000009
【図８】
2006351685.tif 000010